(57)【要約】  四つのマットレス支持パネル（５０〜５６）を支持するフレーム（２２）を含み、前記パネルが上記フレーム（２２）の各部分の枢動に伴なって移動することができるベッド組立品（１０）である。前記フレーム（２２）において、前記フレーム（２２）から懸架された複数の横方向の支梁（４０）が設けられている。前記マットレス支持パネル（５０〜５６）は、支梁（４０）により解除可能に支持される。これにより、プラットホーム（２０）の下方における前記ベッド組立品にアクセスすることができるように上記支持パネル（５０〜５６）を取り外すことができる。前記フレーム（２２）は、特別に前記ベッド（１０）のために設計されたものではないマットレスも含めて、様々なマットレスを収納するための略垂直な側壁を有する。
2009501590.tif 000002
【特許請求の範囲】
【請求項１】
略垂直なマットレス保持側表面を提供する内側壁を持つフレームと、複数のマットレス支持パネルを支持するように前記フレームにカップリングする前記フレームから懸架される複数の支持素子と、前記フレームに設置され形成しようとするプラットホームを各種の形状に姿勢調整する複数のヒンジとを備える、ベッド組立品に使用されるマットレス支持プラットホーム。
【請求項２】
前記フレームにおいて、前記ベッドのマットレス収納領域全体の周囲に略垂直なマットレス保持側表面が設置されることを特徴とする、請求項１に記載のマットレス支持プラットホーム。
【請求項３】
前記ヒンジは、前記フレーム構造の他の部分の形と略マッチする形を有する、ことを特徴とする、請求項１または２に記載のマットレス支持プラットホーム。
【請求項４】
前記フレームは、横断面が角丸矩形の外部形状を有する支梁から構成されることを特徴とする、請求項１、２または３に記載のマットレス支持プラットホーム。
【請求項５】
前記支持素子は、前記フレームの２本の対向する側方向支梁の間において横方向に伸びて前記側方向支梁から懸架される複数の横方向支梁であることを特徴とする、請求項１乃至４のいずれかに記載のマットレス支持プラットホーム。
【請求項６】
前記フレームは伸張可能なものであることを特徴とする、請求項１乃至５のいずれか一項に記載のマットレス支持プラットホーム。
【請求項７】
前記フレームの一端に、伸張支梁が伸縮自在に配置され、前記伸張支梁が対応するフレーム支梁内においてスライドできることを特徴とする、請求項６に記載のマットレス支持プラットホーム。
【請求項８】
前記ヒンジと前記懸架される支持素子とから構成される枢軸配置により、前記セクションのうちの一つが上向きに枢動する場合、隣接するマットレス支持素子の間及びそれによるパネルの間の間隔を増大させることを特徴とする、請求項１乃至７のいずれかに記載のマットレス支持プラットホーム。
【請求項９】
前記ヒンジと前記懸架される支持素子とから構成される枢軸配置により、前記セクションのうちの一つが下向きに枢動する場合、隣接するマットレス支持素子の間及びそれによるパネルの間の間隔を減小させることを特徴とする、請求項１乃至７のいずれかに記載のマットレス支持プラットホーム。
【請求項１０】
フレームと、複数のマットレス支持パネルを支持するように前記フレームにカップリングする前記フレームから懸架される複数の横方向支持支梁と、前記フレームに設置され形成しようとするプラットホームを各種の形状にする複数のヒンジとを備える、ベッド組立品に用いられるマットレス支持プラットホーム。
【請求項１１】
前記フレームにおいて、前記ベッドのマットレス収納領域全体の周囲に略垂直なマットレス保持側表面が設置されることを特徴とする、請求項１０に記載のマットレス支持プラットホーム。
【請求項１２】
前記ヒンジは、前記フレーム構造の他の部分の形と略一致する形を有することを特徴とする、請求項１０または１１に記載のマットレス支持プラットホーム。
【請求項１３】
前記支梁は、横断面が角丸矩形の外部形状を有することを特徴とする、請求項１０、１１又は１２のいずれかに記載のマットレス支持プラットホーム。
【請求項１４】
前記フレームが伸張可能なものであることを特徴とする、請求項１０乃至１３のいずれかに記載のマットレス支持プラットホーム。
【請求項１５】
前記フレームの一端に、伸張支梁が伸縮自在に設置されて、前記伸張支梁が対応するフレーム支梁内においてスライドできることを特徴とする、請求項１４に記載のマットレス支持プラットホーム。
【請求項１６】
請求項１乃至１５のいずれかに記載のマットレス支持プラットホームを含む、ベッド組立品。
【発明の詳細な説明】
【技術分野】
【０００１】
本発明は、ベッド組立品、及び配設可能なベッドプラットホーム又はフレームに関するものである。
【背景技術】
【０００２】
現在の病床は、一般的に様々な形に姿勢調整できるように設計されている。一般的には、傾斜或いは他の手段での移動によって患者のベッドにおける姿勢を変更することができる複数のセクションが備えられている。その例としては、通常、略水平状態から上がった座り状態に枢動可能であるバックレストセクションと、略水平状態から膝の上がり状態に枢動可能であるサイレストセクションと、当該サイレストセクションにカップリングされ、それと共に上がりながら、両足を上がり状態又は下がり状態に維持可能であるレッグレストセクションとが備えられる。
【０００３】
このような配設可能なプラットホームを有するベッドはこの技術分野において良く知られており、一般的にうまく働いている。しかしながら、このようなベッドは、特別に前記プラットホームに対して設計されたマットレスを必要とする。これにより、前記様々なマットレスは、ベッドメーカーや他の特定の供給者から入手し得るものに限定され、ユーザーはそれら以外の前記ベッドに対して特別に設計されたものではないマットレスを使用することができない。
【０００４】
なお、このようなベッド組立品は、構成が複雑になるため、保守や修理する組立部品が多くなる。これらの組立部品の取り扱いは困難であるため、多くの時間を費やす労働集約型の修理を行う場合が多い。
【発明の開示】
【課題を解決するための手段】
【０００５】
本発明は、改良されたベッド組立品、及び配設可能なプラットホーム又はフレームを提供することをその目的としている。
【０００６】
本発明の一つの側面によれば、ベッド組立品に使用されるマットレス支持プラットホームであり、略垂直なマットレス保持側表面を有する内側壁を持つフレームと、複数のマットレス支持パネルを支持するように前記フレームにカップリングする前記フレームから懸架される複数の支持素子と、前記フレームに設置され前記プラットホームを各種の形状にする複数のヒンジとを備えるマットレス支持プラットホームを提供する。
【０００７】
略垂直なマットレス保持側表面を有するフレームとしては、実際に、いずれかの相補的な寸法を有するマットレス、ひいては、前記フレームの内部空間と正確に合わないマットレスを前記フレーム中に支持してもよい。なお、多くの従来の病床のように特定の構成特徴を持つマットレスを採用する必要はない。このため、患者の要求やユーザーの希望に応じてほとんど全てのマットレスを使用することができる。ベッド供給者から提供された特定の種類のマットレス以外のものが患者に有利であると考えられる場合、このようなフレームは特に重要なものになる。
【０００８】
前記フレームは、ベッドのマットレス収納領域全体の周囲に略垂直なマットレス保持側表面が設置されることが好ましい。
【０００９】
前記ヒンジは、フレーム構造の他の部分の形と略マッチする形を有することによって、ほぼ平滑なフレームを形成して、患者及び医師や看護士をとがった形によるけがから保護し、またほこりや細菌の発生可能な領域を被覆するための特定のカバーや他の手段を必要としないようなものが好ましい。
【００１０】
前記フレームは、横断面が角丸矩形の外部形状を有する支梁から構成されることが好ましい。このような形状により、略垂直な側壁が形成されるとともに、平滑な外形が維持される。また、他の形状、例えば、そのストライト部がフレームの内側表面に位置決められるＤ形状を有しても良い。さらにまた、断面が円形または長円形の支梁も垂直なマットレス支持表面を形成できるので採用してもよいが、このような形状は好ましいものではない。
【００１１】
保持素子として、フレームの２本の対向する側方向支梁の間において横方向に伸びて前記側方向支梁から懸架される複数の横方向支梁であることが好ましい。マットレス支持パネルが取外された場合、このような保持素子が、ベッド組立品のプラットホーム下方に位置する組立部品への、ほとんど妨げられない経路を提供するため、これらの組立部品の修理に有利であり、これについては、例えば、本願と同じ日付で出願された本出願人の所有する同時係属出願である英国特許出願に開示されている。
【００１２】
好ましい実施例において、前記フレームは伸張可能なものである。これは、フレームの一方の末端（通常は、足端）に、伸張支梁が伸縮自在に配置されることにより実現され、前記伸張支梁がフレーム側のこの末端においてフレーム支梁内にスライドできるので有利である。
【００１３】
ヒンジと懸架される支持素子とから構成される枢軸配置は、前記セクションのうちの一方が上向きに枢動する場合、隣接するマットレス支持素子の間及びそれによるパネルの間の間隔を増大させて、マットレス支持領域を長くする働きをし、患者の背部がこのような動作をする際の伸張に対応できる。また、ヒンジと懸架される支持素子とは、前記セクションのうちの一方が下向きに枢動する場合、隣接するマットレス支持素子の間及びそれによるパネルの間の間隔を縮小させることもできる。これらの特徴は、以下に詳細に説明するが、本願と同じ日付で出願された本出願人の所有する同時係属出願である英国特許出願第０５２３１６８．３号に含まれている。
【００１４】
本発明の他の側面によれば、ベッド組立品に使用されるマットレス支持プラットホームであり、フレームと、複数のマットレス支持パネルを支持するように前記フレームにカップリングする前記フレームから懸架される複数の横支持支梁と、前記フレームに設置され前記プラットホームを各種の形状にする複数のヒンジとを備えるマットレス支持プラットホームを提供する。
【００１５】
さらに、本発明の他の側面によれば、本発明に記載されるプラットホームを含むベッド組立品を提供する。
【００１６】
以下、下記のような図面を参考にしながら、本発明にかかる実施形態を説明する。
【発明を実施するための最良の形態】
【００１７】
図１には、４つのキャスター１４を有するキャスター付きベース１２と、ヘッドボード１６と、フットボード１８とを備えたベッド組立品１０の好ましい実施形態を示している。ベッドプラットホーム２０は上記ベース１２にカップリングされており、一つ以上の電気アクチュエーター（図示せず）により上記ベース１２の上側で上げたり下げたりして、または傾けることができるが、上記と同じく従来型である。
【００１８】
プラットホーム２０はフレーム２２を有してもよいが、この実施例においては、フレーム２２が４段のフレームセクション２４、２６、２８及び３０から形成されており、これらの４段のフレームセクションがヒンジ３２、３４及び３６によって互いにカップリングされている。フレーム２２については、一般的に金属又は合金から構成される。
【００１９】
フレームセクション２４〜３０のそれぞれは、略垂直な内側壁３８（特に図２と図３に詳細に示されている）と懸架される複数の横方向支梁４０（特に図３と図４に詳細に示されている）とを具備する上部フレーム部材を備えており、これによって、この実施例においては、四つのマットレス支持パネル５０、５２、５４と５６を支持するための凹形支持面が形成される。これらのパネル５０〜５６と枢動フレーム部材２４〜３０とによって、一般的に上記性質を持っている類似のベッドの中にも備えられるバックレストセクション、シートセクション、サイレストセクション及びレッグレストセクションがそれぞれ形成される。
【００２０】
上部フレーム部材２４〜３０には、ヒンジ３２、３４と３６が設置されており、図２、図３及び図７〜９から分かるように、上記ヒンジによって、フレーム部材がヒンジ３２〜３６の回りにそれぞれ互いに対して枢動できるようになる。この詳細は、下記に記載する。ヒンジ３２〜３６が上部フレーム部材２４〜３０の中に埋め込まれて、略平滑な外部表面を呈し、それにより、患者又は医者や看護士を如何なる不適感又はけがから保護することができる。
【００２１】
図１に示すように、上から見た時のベッドプラットホーム２０は、凹形の上面を示すように、マットレス支持パネル５０〜５６が曲がっている。パネル５０〜５６は、フレーム側壁３８の下に配置されているが、パネル５０〜５６の上に置かれたマットレスがフレーム２２内に良く合うためにフレーム側壁３８から十分に離れることが好ましく、このように、フレーム２２の側壁３８によるほぼ垂直な側面により保持されるようになる。上記離れる間隔はこのようなベッドに用いられる従来のマットレスの高さに近くてもよいが、マットレスの上面が上記フレーム２２より上に伸び、患者を快適に上記フレーム２２の硬い面より高く載せるために、上記高さより小さいことが好ましい（図１１に示すように）。
【００２２】
マットレス支持パネル５０〜５６の少なくとも一部が着脱可能であることが好ましく、またブロー成形により何れかの適切なプラスチック材料から成形されることが望ましい。上記パネル５０〜５６には剛性がある。
【００２３】
パネル５０〜５６における切欠部６０はパネル５０〜５６を容易にベッド１０から取外し、且つそれを制御するためのハンドルとして利用される。パネル５０〜５６の下側表面にも、横方向支梁４０にスナップしてパネルを適当な箇所に固定するためのスナップ嵌合部材５５（図１０に一部が見える）が配置されることが好ましい。好ましい実施例においては、スナップ嵌合部材のそれぞれは、パネル５０〜５６の下面を越えて伸びる一つ以上の突出部から形成されており、この突出部がスナップ嵌合グリッパーを形成する曲面を有するが、このスナップ嵌合グリッパーが上記支梁４０にスナップされている。
【００２４】
図１には、さらに２枚の患者保持パネル８０、８２が示されている。通常は、ベッド組立品１０の他方の側に、対応する保持パネルが配置されるが、これについては、図１の明瞭性を図るため省略する。この技術分野における既知のものであってもよいこれらのパネルは、表示される上がり位置と下がり位置の間で変換可能であるが、下がり状態において、パネルがベッドのマットレスの水平面の下に位置するために、フレーム２２に沿って横になっている。パネル８０、８２によって、上がり状態においては、患者がベッドの上に保持されることができるが、下がり状態においては、患者がベッドに昇ること及びそこから降りることができると共に、患者との間を妨げられないアクセスを提供する。
【００２５】
図２は、椅子のように姿勢調整された図１におけるベッド組立品を示す。このような状態においては、バックレスト３０、５０がバックレストセクション３０とシートセクション２８との間のヒンジ３２の枢動によって上げられる。上記に示した状態において、サイレスト５４とレッグレスト５６との間のヒンジ点３６も上げられる。ヒンジ３６のこの上がり配置が膝窩に相当し、図２に示す状態において、患者の両膝を上げながら身を起こすようになる。
【００２６】
フレーム２２の各種のセクション２４〜３０は、説明したように、ベッド組立品１０に設置された一つ以上のアクチュエーターによって移動されることができる。アクチュエーターは、この技術における周知なものであり、また、上記アクチュエーターを制御するための制御システムのタイプも周知であるので、ここでは更に詳しく説明しない。
【００２７】
ベッドセクション２４〜３０とアクチュエーターによって、ベッドが図１に示す横状態から改めて図２に示す座り状態にされてもよく、その他に、例えば、患者の足が略水平になるように、ヒンジ３６における膝窩が上がるとともにレッグレストセクション２４も上向きに上がるような配置も含む多種の配置にされてもよい。後者の配置としては、レッグレストセクション２４にカップリングしてこのような移動を実現するためのアクチュエーターが形成されている。この技術分野においては、このアクチュエーターの設置は周知であるので、ここでは更に詳しく説明しない。
【００２８】
図２にはサブフレーム４２も示されており、通常、シートセクション２８に取り付けられると共にアクチュエーター及びコントロールユニットにも取り付けられ、これにより、プラットホーム２０が支持される。サブフレーム４２によって支梁４４も支持されており、上記支梁４４によってサブフレーム４２がベース１２に対して上がったり下がったりし、このため、プラットホーム２０もベース１２に対して上がったり下がったりする。当該サブフレームは本願と同じ日付で出願された本出願人の所有する同時係属出願である英国特許出願第０５２３１７４．１号に記載された目的物であるので、ここでは更に詳しく説明する必要はない。
【００２９】
図３は、図２におけるベッド組立品１０の斜視図であるが、明瞭に示すためにマットレス支持パネル５０〜５６、ヘッドボード１６、フットボード１８、患者保持パネル８０、８２及び図２に示された他の多くの構成部品を省略した。
【００３０】
この図面において、フレーム２２から懸架される横方向支梁４０が明確に見える。図４から分かるように、マットレス支持パネル５０〜５６を支持するための上記横方向支梁は、必要な数だけ必要な場所に配置され、プラットホーム２０の下にあるベッド部品に容易にアクセスすることとなる。この実施例においては、バックレストセクション３０には、ベッドのこのセクション３０に支持される負荷の大きさを考慮して、横支梁４０が３本配置されているが、その他のセクション２４〜２８にはそれぞれ２本配置されている。勿論、支梁に十分な強さがあれば、セクション３０に２本のみ配置してもよい。
【００３１】
バックレストセクション３０、サイレストセクション２６及びレッグレストセクション２４において、隣接する２本の横方向支梁４０の間に、縦に伸びる補強支梁４１が配置されている。
【００３２】
横方向支梁４０の横断面は一般的に矩形であり、これによって、マットレス支持パネル５０〜５６の下面に設けられた留め金と緊密にカップリングされるので好ましい。
【００３３】
図３には、さらに、フレームセクション２４〜３０を移動するためのアクチュエーター４３のうち二つが示されている。図３から分かるように、これらのアクチュエーターはサブフレーム４２に固着している。
【００３４】
図４には、平面図で図３におけるベッドの特徴を示した。ただし、フレーム２０がフラットに配置されている。中実の移動できないフラットベースではなく、容易に移動可能なマットレス支持パネル５０〜５６と支持用支梁４０、４１であることによって、フレーム２２の下に配置されたベッド１０の構成部品に容易にアクセスすることができることが分かる。この場合、アクチュエーター４３が容易に見え、またベッド１０の上からフレーム２２を通してアクセスしてもよいが、通常、このようなベッド組立品が有する、例えばコントロールユニット（見えない）等のその他の構成部品も同様である。これによって、ベッドの上からこれらの構成部品を修理できるようになり、即ち、ベッドをひっくり返したり、又は俯せる必要がなくなった。
【００３５】
図５Ａと図５Ｂには、マットレス支持パネル５６が配置されたフレーム２２のフットセクション２４の詳細が示されている。フットセクション２４の末端が伸張可能に形成されている。この伸張は、末端支梁１１０の各端に、それぞれ第１と第２の平行ロッドや平行チューブである１１２、１１４の中の一つを配置することによって達成される。図５Ａ及び図５Ｂに示すように、これらのロッドは、フットレストセクション２４を形成する支梁１１６、１１８の内部形状に合致する横断形状を有することにより、この支梁１１６、１１８の中で摺動可能になる。図５Ａから分かるように、フットレストセクション２４が伸張状態にある場合、ロッド１１２、１１４によってフレーム２２の側壁が伸張されて、さらにサイド支持面が完全にフレーム２２全体の周囲に位置される。
【００３６】
第１と第２のラッチ又はロック１２０は各ロッド１１２を後退・伸張位置にロッキング用のものである。ラッチ１２０は、単にロッド１１２、１１４における適当な目開き又はボアに取り付けられるばねピンであってもよいが、ロッド１１２にきつく当接するねじロックであってもよい。ラッチやロックのタイプは重要なものではない。
【００３７】
図６では、平面図で図１及び図２におけるベッドのマットレス支持パネル５０、５２の配置を模式的に示している。ベッド１０のバックレストセクションを形成する支持パネル５０は、第一の端壁６２と対向端壁６４とを備える。ベッド１０のシート部を形成するマットレス支持パネル５２は、第一の端壁６６と第二の端壁６８とを備える。上記壁６２と６６は、図６に示すように互いに隣接している。
【００３８】
ベッドが平坦な状態にある場合、図６の実線及び図１に示されるように、前述した２つのパネル５０、５２の間の間隔は距離ｄとして示されるが、パネル５０〜５６に敷かれたマットレス上にいる患者に対して何ら不良な影響をも与えずに支持できるような適当な距離であれば、距離はいくらであってもよい。距離ｄは通常数ｃｍであるが、１０ ｃｍ程度になることが多い。
【００３９】
一方で、支持パネル５０は図２に示すように枢動して上がって患者の座り状態にある場合、パネル５０、５２の端壁６２、６６の間の距離はそれぞれ図６に示す距離Ｄまで増加する。距離Ｄは、２つのパネルが水平状態の場合の距離ｄよりかなり大きくなっていることが確認できる。
【００４０】
上記した二つの端壁６２、６６の間の距離の増加は、二つの要因がある。一つは、パネル５０、５２における曲がり及び枢動点がパネルの側辺に存在することにある。パネル５０、５２の中心がほぼ側辺の下に存在し、さらに枢動運動の際このような距離増加が発生する。もう一つは、枢動軸３２がパネル５０、５２の最高点よりも高い位置に上がった（即ち、上げられた側辺よりも高くなった）ことにより、さらにパネル５２から離間するように、端部７０の部位も含んで移動が行われることにある。
【００４１】
このような間隔の増大は望ましいことである。それは、人が横になった状態から座り状態に変換する場合、曲げるところにおいて（即ち、患者の背部と下の腿との間において）引き伸ばしが生じるからである。したがって、このようなデザインは人体の引き伸ばしに適合するので、一層患者を快適にさせる。ほぼ上記マットレス支持セクションの配置レベルにおける枢動点を有し、且つほぼ平坦なマットレス支持セクションを有する従来技術によるベッドは、上記セクションの間の間隔増加による利益を得られず、これにより、上記マットレス支持ベースの有効長さの増加による利益も得られない。これらのベッドは患者を挟む作用を与える。
【００４２】
以上の二つの素子は個別に提供されてもよいが、伸び効果が低下することは明確であろう。
【００４３】
図７は、椅子のように姿勢調整された図１におけるベッドの平面図を示し、図８は図７におけるベッドのヘッド側の拡大図を示す。図１と図７及び図８とを比較すると、横状態から座り状態になった時にパネル５０、５２の端縁６２、６６の間の間隔の増加が分かる。
【００４４】
サイレストセクション５４において、このような構造によるプラットホーム２０の他の有利な特徴が存在している。図１に示すように、プラットホーム２０がフラットに配置された場合、サイレストパネル５４とレッグレストパネル５６の間の間隔Ｄ’は比較的大きい。しかしながら、図９に示すように、ヒンジ３６が上げられて膝窩に形成される時には、この間隔がｄ’に著しく短縮される。この間隔短縮によってマットレスの下面が縦方向に圧縮されるが、これはマットレス支持部材５４、５６全体が長手方向において短縮されるからである。これによって、マットレスと患者の後膝部との接触を維持できるようになる。サイレストセクションとレッグレストセクション５４、５６の間の間隔がそのまま維持する場合のように、縦方向にこのようなマットレスの圧縮が発生しないと、マットレスが膝窩上方において伸ばされて患者の後膝部と接触しなくなるおそれがあり、さらにその発揮すべき支持効果を失うこととなる。
【００４５】
図１０にはベッドが椅子のように姿勢調整されたマットレス支持パネル５０〜５６が示されている。このような状態でのパネル間の間隔が明確に見られる。ただし、図１０にはサイレストセクション５４の移動に関する更なる特徴が明からに存在する。図１０に示すように、サイレストセクションが図面のように上向きに枢動すると、サイレスト５４の後端縁１１１がシートセクションの前端縁１１３より高くなる。その理由としては、後端縁１１１がベッドの長手方向に沿ってヒンジ３４から縦に離間していることにある。このため、ヒンジ３４の回りをフレームセクション２８が枢動すると、パネル５４は枢動だけでなくそのレスト状態から上がるようになる。サイレストパネル５４のこのような上がりによって、従来の配置可能なベッド組立品に比べると、患者の大腿の下部がより良く支持できる。
【００４６】
図１１では、患者をベッド上に保持するための患者保持パネル８０、８２が一層良く見えるように、横に姿勢調整されたベッド１０を示す。パネル８０、８２は一般的にプラスチック材又はプラスチッククラッド層により被覆されている金属から構成される。
【００４７】
特に図２から分かるように、患者保持パネル８０は、ベッド１０のバックレストセクションが形成されるフレーム部材３０にカップリングされ、またそれと共に移動可能なものである。患者保持パネル８２は、フレーム２２におけるシートセクション２８にカップリングされて、実際に移動しないものである。その理由は、この実施例におけるシートセクション２８がフレーム２２の固定部材（但し、フレーム２２が上がり下がり又は傾斜の場合にそれと共に移動することは勿論である）であることにある。
【００４８】
特に図２から良く分かるように、バックレストセクション３０、５０が患者の座り状態に上向きに枢動する場合、患者保持パネル８０は保持パネル８２の上方に移動する。これを目的として、パネル８０は、保持パネル８２の凸形の面９４と対向する凹形の面９２を含む。パネル８０がパネル８２の回りに上向きに移動すると、面９２がこの二つの面９２と９４との間を略同じ間隔gで面９４の上を摺動する。これに従って、上記二つのパネル８０、８２の組み合わせでは、上記保持パネル８０の移動中において、上記二つのパネルの間で患者又は医師・看護師の体の一部をとらえる何らかの隙間縮小が発生することなくほぼ連続した支持面が形成される。
【００４９】
図１１と図１２から明らかに分かるように、キーパッド（図示せず）を支持するためのユニット１００の好ましい実施例の実例が模式的に示され、上記キーパッドによって、患者がベッド１０の種々の機能を実現させる。
【００５０】
この実施態様においては、キーパッドユニット１００は、患者支持パネル８０の略外周境界を越えて、ベッド１０の足端に向く方向へ延出する突出部材１０２を具備する。ユニット１００が患者保持パネル８０に配置され、これによって、バックレストセクション３０、５０が移動する時に、ユニット１００のバックレストセクション３０、５０に対する位置が維持され、且つこれによってベッド１０に横になっている患者に対する位置を維持するように、上記パネルと共に移動する。ユニット１００は、図１２を見れば明らかに分かるように、ベッドにいる患者がベッド側の手を利用して容易に接触できるように配置されている。ユニット１００の位置については概ね、ベッド１０に横になった患者、又はそこに座った患者の肩のところにあると記述しても良い。
【００５１】
図１２から、ユニット１０は、患者が指をユニット１００の外側に置き、それからユニット１００の内側又は患者側にあるキーパッド（図示せず）を操作することができるような形状や構造を持っていることも分かる。したがって、患者がユニット１００の後ろ側からキーパッドのボタンを押し付ける圧力の方向と反対の圧力をかけることができ、これによって、実際にユニット１００を安定化させる。このような特徴は、患者支持パネルに配置される従来のキーパッドとは異なる。その理由は、パネルは一般的に若干の柔軟性があるため、従来のキーパッドでは操作しにくい傾向があることにある。
【００５２】
ユニット１００に配置されるキーパッドは従来からこのようなベッドに使用されているものと同等なタイプであるので、ここでは更に詳しく説明しない。
【００５３】
特に図１１を参照すると、ユニット１００が第１と第２のフランジ１０４、１０６を介して患者支持パネル８０に配置されることが好ましく、また、これらのフランジ１０４、１０６は、適当なスナップ嵌合による接続及び／又は一つ以上のねじによってパネル８０に固着してもよい。ユニット１００には、ユニット１００のキーパッドとベッド１０の制御システムとの間に必要な電気接続が形成されるように、相補的なソケット/プラグに接続されているプラグ或いはソケットが設置されている。
【００５４】
キーパッドユニット１００の好ましい構造は、ベッド１０に対するユニット１００の取付けに寄与し、また、キーパッドの使用又は搬送の際において、ある原因で損害を受けた場合にも容易に交換できる。
【図面の簡単な説明】
【００５５】
【図１】図１は上から見た、フラットに姿勢調整されたベッド組立品の好ましい実施例の左側斜視図である。
【図２】図２は上から見た、椅子のように姿勢調整された図１におけるベッド組立品の右側斜視図である。
【図３】図３は椅子のように姿勢調整された、マットレス支持パネルと患者支持パネルが取外された図１と図２におけるベッド組立品を示す。
【図４】図４は図１におけるベッド組立品の一部の平面図である。
【図５】図５Ａ及び図５Ｂは伸張位置及び伸張されない位置におけるベッド伸張機構を示す。
【図６】図６は平面図によって、図１におけるベッドの２段のマットレス支持セクションを模式的に示す。
【図７】図７は図３におけるベッド組立品の平面図である。
【図８】図８は図７における平面図の一部の拡大図である。
【図９】図９は図７における平面図の一部の拡大図である。
【図１０】図１０は図１におけるベッド組立品のマットレス支持パネルのみの側面図を示す。ただし、ベッドは椅子のように姿勢調整されている。
【図１１】図１１は図１におけるベッド組立品の一部の拡大図である。
【図１２】図１２は患者に利用されている図１におけるベッドのキーパッドゾーンを示す。
【符号の説明】
【００５６】
１０  ベッド
１２  キャスター付きベース
１４  キャスター
１６  ヘッドボード
１８  フットボード
２０  ベッドプラットホーム
２２  フレーム
２４  フレームセクション
２６  フレームセクション
２８  フレームセクション
３０  フレームセクション
３２  ヒンジ
３４  ヒンジ
３６  ヒンジ
３８  内側壁
４０  横方向支梁
４２  サブフレーム
４３  アクチュエーター
４４  支梁
５０  マットレス支持パネル
５２  マットレス支持パネル
５４  マットレス支持パネル
５５  スナップ嵌合部材
５６  マットレス支持パネル
６０  切欠部
６２  第一の端壁
６４  対向端壁
６６  第一の端壁
６８  第二の端壁
７０  端部
８０  患者保持パネル
８２  患者保持パネル
９２  面
９４  面
１００  ユニット
１０２  突出部材
１０４  第１のフランジ
１０６  第２のフランジ
１１０  末端支梁
１１１  後縁端
１１２  ロッド
１１３  前縁端
１１４  ロッド
１１６  支梁
１１８  支梁
１２０  ラッチ
ｄ  距離
Ｄ  距離
ｄ’  間隔
Ｄ’  間隔
【図１】
2009501590.tif 000003
【図２】
2009501590.tif 000004
【図３】
2009501590.tif 000005
【図４】
2009501590.tif 000006
【図５Ａ】
2009501590.tif 000007
【図５Ｂ】
2009501590.tif 000008
【図６】
2009501590.tif 000009
【図７】
2009501590.tif 000010
【図８】
2009501590.tif 000011
【図９】
2009501590.tif 000012
【図１０】
2009501590.tif 000013
【図１１】
2009501590.tif 000014
【図１２】
2009501590.tif 000015
【国際調査報告】
2009501590.tif 000016
2009501590.tif 000017
2009501590.tif 000018